(57)【要約】      （修正有）【課題】セパレーターと鉄筋とを直交する位置で連結することが可能になり、簡単な構造で安価な鉄筋とセパレーターとの連結金具を提供する。【解決手段】鉄筋ＰとセパレーターＱとを挟着する金具本体１０と挟着ボルト２０とで構成され、金具本体は、挟着ボルトをネジ止めするネジ孔が形成された天板１１と、天板の片側に延長されセパレーターの棒状端部を挿入せしめる挿通孔を備えた側板１２と、側板の下端部でＶ字形状に屈曲され鉄筋を載置する底板１３とで構成され、底板に載置した鉄筋の上に一端部を側板の挿通孔に挿通したセパレーターを重ね、セパレーターの上から挟着ボルトを緊締してセパレーターと鉄筋とを同時に挟着するように構成した。【選択図】図２
0003211880.tif 000002
【実用新案登録請求の範囲】
【請求項１】
鉄筋とセパレーターとを挟着する金具本体と挟着ボルトとで構成され、金具本体は、挟着ボルトをネジ止めするネジ孔が形成された天板と、該天板の片側に延長されセパレーターの棒状端部を挿入せしめる挿通孔を備えた側板と、該側板の下端部でＶ字形状に屈曲され鉄筋を載置する底板とで構成され、底板に載置した鉄筋の上に一端部を側板の挿通孔に挿通したセパレーターを重ね、この状態でセパレーターの上から挟着ボルトを緊締してセパレーターと鉄筋とを同時に挟着するように構成したことを特徴とする鉄筋とセパレーターとの連結金具。
【請求項２】
前記挟着ボルトは、前記挟着ボルトの下端部が前記側板側に傾斜した状態で前記天板にネジ止めされ、前記挟着ボルトにて挟着したセパレーターを前記側板方向に押圧するように構成した請求項１記載の鉄筋とセパレーターとの連結金具。
【請求項３】
前記側板において、前記挿通孔の上下に沿って補強リブが形成され、該補強リブを前記底板にまで延長した請求項１記載の鉄筋とセパレーターとの連結金具。
【考案の詳細な説明】
【技術分野】
【０００１】
本考案は、コンクリート型枠を位置決めするセパレーターと鉄筋とを連結する際に使用する鉄筋とセパレーターとの連結金具に関する。
【背景技術】
【０００２】
鉄筋コンクリート造の構造物を構築する際に、コンクリート型枠を位置決めするセパレーターを鉄筋に結合させる工事がある。従来の工事では、セパレーターと鉄筋とを現場で溶接していたので、この溶接作業に多くの手間が生じていた。
【０００３】
そこで、特許文献１に記載の連結金具のように、セパレーターと鉄筋とをネジ止めする構成の連結金具が提案されている。
【０００４】
この連結金具によると、金具本体にＶ字形鉄筋受け部と回転軸とを設け、Ｖ字形鉄筋受け部に嵌合した鉄筋の側面をボルトで押圧固定し、セパレーターのネジ部を回転軸のセパレーター連結用ネジ孔にネジ止めして本体に連結するものである。
【０００５】
この結果、セパレーターと鉄筋とを連結する際に溶接作業の必要がなくなり、セパレーターの位置や向きを自由に変更することができるというものである。
【先行技術文献】
【特許文献】
【０００６】
【特許文献１】特開２００３−１３６００号公報
【考案の概要】
【考案が解決しようとする課題】
【０００７】
ところが、特許文献１に記載の連結金具は、金具本体の側面に突設した回転軸の側面にセパレーターを差し込んで固定する構造なので、セパレーターと鉄筋とが常に平行な位置で連結されることになり、セパレーターと鉄筋とが直交する位置で連結することはできない構成であった。そのため、セパレーターの連結方向が限定されるという不都合が生じている。
【０００８】
しかも、金具本体側面に貫通孔を形成し、この貫通孔に回転軸を回転自在に装着する構造であるから、金具本体の構造が複雑になり、製造コストが高くなるといった課題もある。
【０００９】
そこで本考案は、上述の課題を解消すべく案出されたもので、セパレーターと鉄筋とを連結する際に溶接作業の必要がなく、しかも、セパレーターと鉄筋とが直交する位置で連結することも可能になり、更に、簡単な構造で安価な提供が可能な鉄筋とセパレーターとの連結金具の提供を目的とするものである。
【課題を解決するための手段】
【００１０】
上述の目的を達成すべく本考案における第１の手段は、鉄筋ＰとセパレーターＱとを挟着する金具本体１０と挟着ボルト２０とで構成され、金具本体１０は、挟着ボルト２０をネジ止めするネジ孔１１Ａが形成された天板１１と、該天板１１の片側に延長されセパレーターの棒状端部を挿入せしめる挿通孔１２Ａを備えた側板１２と、該側板１２の下端部でＶ字形状に屈曲され鉄筋を載置する底板１３とで構成され、底板１３に載置した鉄筋Ｐの上に一端部を側板１２の挿通孔１２Ａに挿通したセパレーターＱを重ね、この状態でセパレーターＱの上から挟着ボルト２０を緊締してセパレーターＱと鉄筋Ｐとを同時に挟着するように構成したことにある。
【００１１】
第２の手段の前記挟着ボルト２０は、前記挟着ボルト２０の下端部が前記側板１２側に傾斜した状態で前記天板１１にネジ止めされ、前記挟着ボルト２０にて挟着したセパレーターＱを前記側板１２方向に押圧するように構成したものである。
【００１２】
第３の手段は、前記側板１２において、前記挿通孔１２Ａの上下に沿って補強リブ１２Ｂが形成され、該補強リブを前記底板１３にまで延長したことを課題解消のための手段とするものである。
【考案の効果】
【００１３】
本考案の請求項１によると、底板１３に載置した鉄筋Ｐの上に一端部を側板１２の挿通孔１２Ａに挿通したセパレーターＱを重ね、この状態でセパレーターＱの上から挟着ボルト２０を緊締してセパレーターＱと鉄筋Ｐとを同時に挟着するように構成したことにより、セパレーターＱと鉄筋Ｐとを連結する際に溶接作業の必要がなく、しかも、セパレーターＱと鉄筋Ｐとが直交する位置で連結することも可能になった。
【００１４】
また、セパレーターＱを鉄筋Ｐに対して仮止めすることもできるので、先行工事でセパレーターＱを配置した後、他の工事が終了後、改めて正確な位置に調整することができる。この結果、セパレーターＱの位置調整作業を極めて合理化することができる。
【００１５】
更に、本考案は、金具本体１０と挟着ボルト２０とで構成されるものであるから、極めて簡単な構造で安価な提供が可能になる。
【００１６】
請求項２のように、挟着ボルト２０は、挟着ボルト２０の下端部が側板１２側に傾斜した状態で天板１１にネジ止めされ、挟着ボルト２０にて挟着したセパレーターＱを側板１２方向に押圧するように構成したことで、鉄筋Ｐの上に重ねたセパレーターＱを確実に挟着固定することができる。この結果、セパレーターＱを挿通孔１２Ａに挿通しないでセパレーターＱに平行に重ねた状態でも挟着ボルト２０にて挟着固定することができ、より汎用性に富む使用が可能になる。
【００１７】
請求項３のように、側板１２の挿通孔１２Ａの上下に沿って補強リブ１２Ｂが形成したことで、挿通孔１２Ａに挿通下セパレーターＱを強固に保持することが可能になる。しかも、補強リブ１２Ｂを底板１３にまで延長したことで、金具本体１０の強度を高める効果もある。
【００１８】
このように、本考案によると、セパレーターと鉄筋とを連結する際に溶接作業の必要がなく、しかも、セパレーターと鉄筋とが直交する位置で連結することも可能になり、簡単な構造で安価な提供が可能になるなどといった当初の目的を達成した。
【図面の簡単な説明】
【００１９】
【図１】本考案の使用例を示す要部斜視図である。
【図２】本考案の使用例を示す要部断面図である。
【図３】本考案の一実施例を示す斜視図である。
【図４】本考案の使用例を示す要部斜視図である。
【考案を実施するための形態】
【００２０】
本考案は、コンクリート型枠を位置決めするセパレーターＱと鉄筋Ｐとを連結する連結金具である。また本考案は金具本体１０と挟着ボルト２０とで構成され、これら金具本体１０と挟着ボルト２０とで鉄筋ＰとセパレーターＱとを同時に挟着するように構成したものである（図１参照）。
【００２１】
金具本体１０は、天板１１、側板１２、底板１３にて形成されている（図２参照）。天板１１は、挟着ボルト２０をネジ止めするネジ孔１１Ａが形成された金具本体１０の最上部位である。このネジ孔１１Ａにネジ止めした挟着ボルト２０の下端部でセパレーターＱと鉄筋Ｐとを挟着固定するものである。
【００２２】
側板１２は、天板１１の片側に延長された部位で、セパレーターＱの端部を挿入せしめる挿通孔１２Ａを備えている。そして、鉄筋Ｐに重ねて挟着固定するセパレーターＱの一端部を挿通孔１２Ａに挿通することで、鉄筋Ｐに対して直交状態で固定できるものである（図２参照）。
【００２３】
図示の側板１２は、挿通孔１２Ａの上下に沿って補強リブ１２Ｂを形成している（図３参照）。このように補強リブ１２Ｂを形成することで、挿通孔１２Ａに挿通したセパレーターＱの支持強度を高めることができる。更に、この補強リブ１２Ｂを底板１３にまで延長することで、側板１２と底板１３との強度を高めている。
【００２４】
底板１３は、側板１２の下端部でＶ字形状に屈曲された金具本体１０の最下部位となる（図２参照）。そして、この底板１３上に載置した鉄筋Ｐと、鉄筋Ｐの上に重ねたセパレーターＱとを、この底板１３と挟着ボルト２０とで挟着固定するものである。
【００２５】
すなわち、底板１３に載置した鉄筋Ｐの上にセパレーターＱを重ね、この状態でセパレーターＱの上から挟着ボルト２０を緊締する。
【００２６】
挟着ボルト２０は、天板１１のネジ孔１１Ａに予めネジ止めしておくネジ状部材である。そして、底板１３の上に重ねた鉄筋ＰとセパレーターＱとをこの挟着ボルト２０にて圧着固定する。
【００２７】
図示例の挟着ボルト２０は、挟着ボルト２０の下端部が側板１２側に傾斜した状態でネジ止めされている（図２参照）。そして、この挟着ボルト２０の先端にて挟着したセパレーターＱを側板１２方向に押圧するように構成している。このように挟着ボルト２０を傾斜させることで、例えば、鉄筋Ｐの上にセパレーターＱを平行に重ねた場合でも確実に挟着固定することが可能になる（図４参照）。
【００２８】
尚、本考案の各構成は図示例に限定されるものではなく、金具本体１０や挟着ボルト２０の形状及び、金具本体１０の各部の形状等は、本考案の要旨を変更しない範囲で任意に変更することができる。
【符号の説明】
【００２９】
Ｐ  鉄筋
Ｑ  セパレーター
１０  金具本体
１１Ａ  ネジ孔
１１  天板
１２  側板
１２Ａ  挿通孔
１３  底板
２０  挟着ボルト
【図１】
0003211880.tif 000003
【図２】
0003211880.tif 000004
【図３】
0003211880.tif 000005
【図４】
0003211880.tif 000006